(57)【特許請求の範囲】
【請求項１】
卓球の練習に主として用いられる卓球台であって、
天板部および前記天板部を支持する脚部とを備えた２つの台部材と、ネット部材と、を有し、
２つの前記台部材の前記天板部は、幅が公認規格の幅の２分の１以下であってかつ互いに同じ寸法であり、長手方向における一方の端部に当該天板部の幅方向に沿った端縁部が、長手方向における他方の端部に当該天板部の幅方向に対して傾斜した傾斜縁部が、それぞれ形成されており、
２つの前記天板部をそれぞれの前記傾斜縁部を互いに突き合わせて接触した状態で長手方向に一列になるように配置したときに、その全体の長さが前記公認規格の長さに一致するようになっている、
ことを特徴とする卓球台。
【請求項２】
２つの前記台部材は、それぞれ、前記天板部が前記脚部に対して着脱可能であってかつ表裏反転させることが可能となっている、
請求項１記載の卓球台。
【請求項３】
それぞれの前記傾斜縁部には、当該傾斜縁部に対して直角である直角傾斜縁部が設けられ、
前記傾斜縁部と前記直角傾斜縁部とによってコーナー部が形成されている、
請求項１または２記載の卓球台。
【請求項４】
２つの前記台部材の前記天板部は、幅が、３０センチメートル以上でかつ前記公認規格の幅の４分の１以下である、
請求項１ないし３のいずれかに記載の卓球台。
【請求項５】
２つの前記天板部を、それぞれの前記端縁部を間隔をあけた状態で対向させて長手方向に一列になるように配置したときに、その全体の長さを前記公認規格の卓球台の対角線の長さに一致させることが可能となっている、
請求項１ないし４のいずれかに記載の卓球台。
【請求項６】
前記ネット部材は、
基板と、
前記基板の両端部に設けられたポールと、
前記ポール間に張られたネットと、を有し、                                        前記基板を、一列になるように配置した２つの前記天板部の境界部分の上に載置することが可能となっている、
請求項１ないし５のいずれかに記載の卓球台。
【請求項７】
前記ネット部材は、
２つの前記天板部をそれぞれの前記端縁部を間隔をあけた状態で対向させて配置したことによって前記天板部の境界部分において間隔があいているときにその間隔を埋めて前記基板の配置を可能とするための薄板部を有する、
請求項６記載の卓球台。
【請求項８】
少なくとも一方の前記台部材の前記脚部には、卓球ボールを受け入れて回収する回収網部材を着脱可能に取り付けるための取り付け部が設けられている、
請求項１ないし７のいずれかに記載の卓球台。
【請求項９】
２つの前記天板部を幅方向に並べ互いに接する状態で配置することが可能となっている、
請求項１ないし８のいずれかに記載の卓球台。
【請求項１０】
卓球の練習に主として用いられる卓球台のためのキットであって、
天板部および前記天板部を支持する脚部とを備える２つの台部材と、ネット部材と、を有し、
２つの前記台部材の前記天板部は、幅が公認規格の幅の２分の１以下であってかつ互いに同じ寸法であり、長手方向における一方の端部に当該天板部の幅方向に沿った端縁部が、長手方向における他方の端部に当該天板部の幅方向に対して傾斜した傾斜縁部が、それぞれ形成されており、
２つの前記天板部をそれぞれの前記傾斜縁部を互いに突き合わせて接触した状態で長手方向に一列になるように配置したときに、その全体の長さが前記公認規格の長さに一致するようになっている、
ことを特徴とする卓球台用キット。
【発明の詳細な説明】
【技術分野】
【０００１】
本発明は、卓球の練習に主として用いられる卓球台に関する。
【背景技術】
【０００２】
一般に、卓球台として、国際規格など公認規格または公式規格のサイズのものが試合用および練習用に使用されている。また、家庭などでの練習用には、それよりも小さいサイズのものが使用されている。国際規格サイズの卓球台としては、国際卓球連盟（ＩＴＴＦ）が公認する長さ２７４０ｍｍ、幅１５２５ｍｍ、高さ７６０ｍｍのものが使用されている。【０００３】
従来において、そのような卓球台として、天板を折り畳み式にして収納スペースを小さくしたものが知られている（特許文献１）。【０００４】
また、天板を３つに分割し、設置場所に応じてサイズを変更可能とした卓球台が提案されている（特許文献２）。【０００５】
また、横幅を国際規格サイズの半分に狭めて狭い場所でも使用できる卓球台が提案されている（特許文献３）。
【先行技術文献】
【特許文献】
【０００６】
【特許文献１】特開２００３−１９０３４６号公報
【特許文献２】実用新案登録第３１４０９８１号公報
【特許文献３】特開平８−２０６２６７号公報
【発明の概要】
【発明が解決しようとする課題】
【０００７】
体育館などの公共施設での卓球の試合または練習では、国際規格サイズの卓球台を使用することにスペース上の問題はない。しかし、家庭などのように十分にスペースを取れない狭い場所では、国際規格サイズの卓球台を使用しての練習は通常困難である。【０００８】
例えば、上に記載した特許文献１の卓球台では、使用しないときの収納スペースは小さくて済むが、使用するときは国際規格サイズそのものであるため、通常は設置が難しい。      【０００９】
また、上に記載した特許文献２の卓球台では、３分割された１つの天板は長さ９００ｍｍ、幅１０２０ｍｍであり、これらの２つを用いて１８００ｍｍ×１０２０ｍｍの卓球台とした場合でも、かなりの設置スペースを必要とする。使用しないときに３つの天板を有効活用することは容易ではない。【００１０】
また、上に記載した特許文献３の卓球台では、横幅が国際規格サイズの半分になっているので設置スペースは半分になるが、それでもかなりの設置スペースが必要である。また、卓球台を使用しない場合でもその保管に設置面積と同じスペースを必要とする。【００１１】
そして、特許文献２、３を含む従来の小型サイズの卓球台では、国際規格サイズの卓球台を使用した場合と同等の本格的な練習ができないという問題がある。【００１２】
つまり、例えば特許文献２の卓球台では、長さが国際規格サイズよりも短いので、打った卓球ボールが相手のコートに入ったかどうかを正確に見極めることができず、本格的な練習は行い得ない。【００１３】
特許文献３の卓球台では、長さは国際規格サイズと同じであるので、ストレートの練習ではよいが、クロスでの本格的な練習は行い得ない。【００１４】
本発明は、上述の問題に鑑みてなされたもので、設置スペースが少なくて済み、しかもストレートおよびクロスの両方で国際規格などの公認規格サイズの卓球台と同等の本格的な練習を行うことのできる卓球台を提供することを目的とする。
【課題を解決するための手段】
【００１５】
本発明に係る卓球台は、卓球の練習に主として用いられる卓球台であって、天板部および前記天板部を支持する脚部とを備えた２つの台部材と、ネット部材と、を有し、２つの前記台部材の前記天板部は、幅が公認規格の幅の２分の１以下であってかつ互いに同じ寸法であり、長手方向における一方の端部に当該天板部の幅方向に沿った端縁部が、長手方向における他方の端部に当該天板部の幅方向に対して傾斜した傾斜縁部が、それぞれ形成されており、２つの前記天板部をそれぞれの前記傾斜縁部を互いに突き合わせて接触した状態で長手方向に一列になるように配置したときに、その全体の長さが前記公認規格の長さに一致するようになっている。【００１６】
好ましくは、２つの前記台部材は、それぞれ、前記天板部が前記脚部に対して着脱可能であってかつ表裏反転させることが可能となっている。
【発明の効果】
【００１７】
本発明によると、設置スペースが少なくて済み、しかもストレートおよびクロスの両方で公認規格サイズの卓球台と同等の本格的な練習を行うことのできる卓球台を提供することができる。
【図面の簡単な説明】
【００１８】
【図１】本発明の第一の実施形態に係る卓球台の平面図である。
【図２】第一の実施形態に係る卓球台の正面図および左側面図である。
【図３】第一の実施形態の台部材を拡大して示す平面図である。
【図４】図３に示す台部材の天板部を除いて示す平面図である。
【図５】図３に示す台部材の正面図である。
【図６】第一の実施形態の卓球台と国際規格サイズの卓球台との関係を示す図である。
【図７】第一の実施形態のネット部材を拡大して示す平面図および正面図である。
【図８】第一の実施形態の卓球台をフォアクロス配置とした状態を示す図である。
【図９】第一の実施形態の卓球台をバッククロス配置とした状態を示す図である。
【図１０】クロス配置に用いる薄板部の変形例を示す図である。
【図１１】第一の実施形態の卓球台を並列配置とした状態を示す図である。
【図１２】本発明の第二の実施形態に係る卓球台の平面図である。
【図１３】第二の実施形態の台部材を拡大して示す平面図である。
【図１４】第二の実施形態の卓球台をフォアクロス配置とした状態を示す図である。
【図１５】本発明の第三の実施形態に係る卓球台の平面図である。
【図１６】第三の実施形態の台部材を拡大して示す平面図である。
【図１７】天板部に白線を設けた例を示す図である。
【図１８】回収網部材およびその取り付け部を設けた卓球台の例を示す図である。
【図１９】回収網部材およびその取り付け部を設けた卓球台の例を示す図である。
【図２０】卓球台をカウンターとして用いる場合の配置の例を示す図である。
【図２１】卓球台をテーブルとして用いる場合の配置の例を示す図である。
【図２２】卓球台をテーブルとして用いる場合の配置の例を示す図である。
【図２３】卓球台を保管庫として用いた場合の例を示す図である。
【図２４】卓球台を用いた卓球ゲームの構成の例を示す図である。
【発明を実施するための形態】
【００１９】
〔第一の実施形態の卓球台〕
図１および図２において、卓球台１は、卓球の練習に主として用いられるものであり、互いに同じ形状の２つの台部材３、４、およびネット部材５を有する。
【００２０】
図２に示すように、台部材３、４は、天板部１１、２１、および、天板部１１、２１をそれぞれ支持する脚部１２、２２を備える。本実施形態において、天板部１１、２１、および脚部１２、２２は、それぞれ互いに同じ構造であって同じ形状寸法である。
【００２１】
図３〜図６に示すように、２つの天板部１１、２１は、長手方向に沿って延びる互いに平行な長辺縁部１１ａ，１１ｂおよび長辺縁部２１ａ，２１ｂを有し、長辺縁部１１ａと１１ｂ、長辺縁部２１ａと２１ｂのそれぞれの間隔が、天板部１１、２１の幅Ｗ２となっている。
【００２２】
天板部１１、２１の幅Ｗ２は、互いに同じ寸法であり、公認規格としての国際規格の幅Ｗ１の２分の１以下、本実施形態では国際規格サイズの４分の１以下となっている。国際規格の幅Ｗ１は１５２５ｍｍであるので、天板部１１、２１の幅Ｗ２は、１５２５÷４で、約３８．１ｍｍ、またはそれよりも狭いということである。具体的には、第一の実施形態の図１〜図６に示した例では、幅Ｗ２は３０ｍｍである。
【００２３】
そして、天板部１１、２１は、長手方向における一方の端部に当該天板部１１、２１の幅方向に沿った端縁部１１ｃ，２１ｃが、長手方向における他方の端部に当該天板部１１、２１の幅方向に対して角度α１（度）だけ傾斜した傾斜縁部１１ｄ，２１ｄが、それぞれ形成されている。
【００２４】
２つの天板部１１、２１の傾斜縁部１１ｄ，２１ｄの角度α１は同じであるので、傾斜縁部１１ｄ，２１ｄを互いに突き合わせて接触した状態で、図１および図６に示すように長手方向に一列になるように配置したときに、その全体の長さＬ１が国際規格の長さＬ１に一致するようになっている。
【００２５】
このような天板部１１、２１は、木材、合板、プラスチックなどの材料からなる適当な厚さ寸法、例えば１５〜２５ｍｍ程度の厚さの長尺の板材を用いて形成することが可能である。
【００２６】
図４および図５において、脚部１２、２２は、それぞれ、４つのスタンド３１ａ〜ｄ、２つの長側板３２ａ，ｂ、２つの短側板３３ａ，ｂからなる。長側板３２ａ，ｂおよび短側板３３ａ，ｂは、ネジまたは接着剤などによって互いに連結されてほぼ矩形の枠形状に形成され、その４ヵ所のコーナー部分にスタンド３１ａ〜ｄがネジまたは接着剤などによって固定される。
【００２７】
長側板３２ａ，ｂの長さは、国際規格の長さＬ１の半分の長さＬ２よりも短く、短側板３３ａ，ｂの長さは、天板部１１、２１の幅Ｗ２と同じである。スタンド３１ａ〜ｄの長さは、国際規格の卓球台の高さＨ１から天板部１１、２１の厚さを差し引いた寸法である。スタンド３１ａ〜ｄとして、その下端部に、クッション部材、滑り止め部材、または高さ調整部材などを設けておいてもよい。
【００２８】
したがって、脚部１２、２２は、平面視において、その長さが天板部１１、２１の短い方の長辺縁部１１ｂ，２１ｂの長さＬ２ｂよりも短く、その幅が天板部１１、２１の幅Ｗ２と同じである。
【００２９】
本実施形態において、２つの台部材３、４は、それぞれ、天板部１１、２１が脚部１２、２２に対して着脱可能であって、かつ表裏反転させることが可能となっている。
【００３０】
つまり、天板部１１、２１と脚部１２、２２とは別個独立して構成されており、天板部１１、２１は脚部１２、２２の上に載っているだけであり、特別な固定は行われていない。
【００３１】
そのため、天板部１１、２１を表裏反転させることにより、図３の２点鎖線で示すように、傾斜縁部１１ｄ，２１ｄの傾斜方向を反転させ、天板部１１、２１の形状を長手方向の中心線を中心として左右反転させることができる。
【００３２】
また、天板部１１、２１を脚部１２、２２の上に載せる場合に、幅方向においては天板部１１、２１と脚部１２、２２とを一致させることになるが、長さ方向においては、天板部１１、２１が脚部１２、２２からはみ出さない範囲で適当に自由にずらせることができる。
【００３３】
なお、天板部１１、２１は脚部１２、２２の上端部に載せるだけであり、特別な固定装置を設けていない。天板部１１、２１は相当の重量を有するので、脚部１２、２２の上に載せるだけでも、その重力によって十分に安定する。しかし、より一層の安定を望む場合には、適当な固定装置を設けてもよい。
【００３４】
そのような固定装置として、例えば、天板部１１、２１の側面に係合部を設け、その係合部に対して着脱可能な係合装置を脚部１２、２２の上部に設ける。または、天板部１１、２１の下面に対して真空吸着するようなパッドを、脚部１２、２２の上部に設ける。
【００３５】
また、固定装置ではないが、脚部１２、２２の上端面に摩擦係数の大きな部材を取り付けておき、摩擦によって天板部１１、２１を滑り難くすることでもよい。例えば、スタンド３１ａ〜ｄの上端面、または、長側板３２ａ，ｂ、短側板３３ａ，ｂの上端面などに、合成ゴムなどからなる適当なサイズの複数個の摩擦部材を取り付けておけばよい。
【００３６】
なお、脚部１２、２２は、保管または運搬のために、折り畳み可能な構造、またはネジなどで容易に組み立て分解が可能な構造としておいてよい。
【００３７】
図７において、ネット部材５は、基板４１、基板４１の両端部に設けられたポール４２ａ，４２ｂ、および、ポール４２ａ，４２ｂ間に張られたネット４３を有し、これらが一体になったものである。
【００３８】
基板４１は、幅が、自立可能な程度の寸法、例えば数十ｍｍないし百ｍｍ程度、具体的には５０ｍｍ程度である。また、長さが、天板部１１、２１の幅Ｗ２よりも大きく、例えば幅Ｗ２の１．５倍〜２倍程度である。例えば、天板部１１、２１の幅Ｗ２が３０ｍｍの場合に、基板４１の長さは６０ｍｍ程度とすればよい。
【００３９】
ポール４２ａ，４２ｂは、ネット４３を張るためのものであり、基板４１の両端部において垂直に取り付けられる。
【００４０】
基板４１およびポール４２ａ，４２ｂの材料として、木材、合板、プラスチック、金属などを用いることができる。
【００４１】
ネット４３は、国際規格の卓球台に用いられるものと同じ材質および形状であってよく、長さが国際規格のものよりも短い。ネット４３は、基板４１の底面からネット４３の上部までの長さ（高さ）が、国際規格におけるネットの高さＨ２と同じとなるよう、ポール４２ａ，４２ｂ間に張られた状態で固定されている。
【００４２】
ネット部材５は、一列になるように配置した２つの天板部１１、２１の境界部分の上面に載置して使用される。
【００４３】
本実施形態の卓球台１は、図１または図６に実線で示すように長手方向に一列になるような配置（ストレート配置）としたときに、ストレートのサーブまたはラリーの練習を行うことができる。
【００４４】
また、本実施形態の卓球台１は、図６に２点鎖線で示すように、２つの天板部１１、２１を、それぞれの端縁部１１ｃ，２１ｃを間隔をあけた状態で対向させて長手方向に一列になるように配置したときに、その全体の長さを国際規格の卓球台の対角線の長さに一致させることが可能となっている。
【００４５】
つまり、天板部１１、２１を図６に示すように対角線に沿って配置したときに、傾斜縁部１１ｄ，２１ｄが国際規格の卓球台の短辺の一部と一致するように、角度α１が設定されている。
【００４６】
図６に２点鎖線で示す配置（フォアクロス配置）とした場合の卓球台１Ｂが、図８に示されている。
【００４７】
図８において、卓球台１Ｂは、台部材３、４、およびネット部材５Ｂを有する。
【００４８】
台部材３、４は、図１〜図５で説明したものと同じであるが、ネット部材５Ｂは、上で説明したネット部材５に薄板部４４が追加されている。
【００４９】
すなわち、図８のように卓球台１Ｂをフォアクロス配置とした場合に、２つの天板部１１、２１の境界部分の間隔Ｄ１が大きくなるので、その間隔Ｄ１を埋めてネット部材５の載置を可能とするために、薄板部４４が用いられる。薄板部４４の長さは、フォアクロス配置とした場合の天板部１１、２１の境界部分の間隔Ｄ１よりも大きくしておけばよい。薄板部４４の幅については、特に制限はないが、天板部１１、２１の幅Ｗ２と同じとするか、またはそれよりも小さい寸法としてもよい。薄板部４４の厚さは、薄い程使用に際して好ましいが、適当な剛性を有する程度の厚さとしておけばよい。例えば、薄板部４４の材料を、木材、合板、プラスチックなどとした場合は、厚さを１ｍｍ〜数ｍｍ程度とすればよく、材料を金属とした場合は、厚さを数分の１ｍｍ〜１ｍｍ程度とすればよい。
【００５０】
ネット部材５Ｂは、天板部１１、２１の中央部において、傾斜縁部１１ｄ，２１ｄに対して平行となるように配置される。
【００５１】
なお、ネット部材５の基板４１の幅を間隔Ｄ１よりも大きくして天板部１１、２１の上に直接に載置可能とした場合には、薄板部４４は不要である。
【００５２】
卓球台１を図８に示すようにフォアクロス配置とすることにより、フォアによるクロスのサーブまたはラリーの練習が行える。
【００５３】
なお、ストレート配置の卓球台１をフォアクロス配置の卓球台１Ｂに変更するには、台部材３、４を、それぞれ床平面上で反転させてフォアクロス配置となるように移動させればよい。その後に、ネット部材５Ｂを配置すればよい。
【００５４】
または、台部材３、４を床平面上で少し回転させてフォアクロス配置に対応する位置とした後、それぞれの天板部１１、２１のみを反転させることによって、フォアクロス配置としてもよい。この場合に、脚部１２、２２を互いに少し離すようにすればなお良い。
【００５５】
または、台部材３、４をその位置のままで、フォアクロス配置に変更することも可能である。つまり、卓球台１の台部材３、４を長手方向にのみ移動させて少し離した後、天板部１１、２１のみを反転させることにより、フォアクロス配置の卓球台１Ｂとすることもできる。
【００５６】
さらに、卓球台１Ｂの天板部１１、２１を表裏反転させることにより、角度α１の正負が反転して傾斜縁部１１ｄ，２１ｄの傾斜方向が反転するので、２つの天板部１１、２１を、図６に示す対角線とは異なる他方の対角線に沿って配置することが可能である。
【００５７】
すなわち、卓球台１Ｂの天板部１１、２１を表裏反転させることにより、図９に示すバッククロス配置の卓球台１Ｃとすることができる。
【００５８】
図９において、卓球台１Ｃは、卓球台１Ｂと同じ構成要素である、台部材３、４、およびネット部材５Ｂを有する。
【００５９】
卓球台１Ｃと卓球台１Ｂとの相違は、天板部１１、２１が表裏反転していることと、表裏反転した天板部１１、２１の傾斜縁部１１ｄ，２１ｄに対応して、ネット部材５Ｂがそれと平行に配置されることである。
【００６０】
すなわち、図８に示す卓球台１Ｂの天板部１１、２１を表裏反転させることにより、容易に図９に示すバッククロス配置の卓球台１Ｃとすることができる。
【００６１】
卓球台１Ｃをバッククロス配置とすることにより、バックによるクロスのサーブまたはラリーの練習が行える。
【００６２】
このように、天板部１１、２１を表裏反転させ、傾斜縁部１１ｄ，２１ｄに対して平行となるようにネット部材５Ｂを配置することにより、卓球台１Ｂと卓球台１Ｃとの間で容易に変更することができる。
【００６３】
このように、本実施形態の卓球台１は、台部材３、４または天板部１１、２１の配置または表裏を変更することにより、ストレート、フォアクロス、またはバッククロスのいずれの練習をも行うことができる。
【００６４】
しかも、ストレート、フォアクロス、またはバッククロスのいずれの練習においても、それぞれの卓球台１，１Ｂ，１Ｃは、国際規格に合ったサイズであるため、国際規格サイズの卓球台と同等の本格的な練習を行うことができる。
【００６５】
また、本実施形態の卓球台１は、国際規格の卓球台の一部分から構成されるものであるから、仮想的な国際規格の卓球台の全体の配置にとらわれることなく、卓球台１，１Ｂ，１Ｃを設置する部屋のスペースに応じて都合のよい配置とすることがでる。したがって、従来のような広い場所でなくても、例えば家庭におけるリビングルームやガレージなどにおいても、卓球台１，１Ｂ，１Ｃを用いて国際規格サイズの卓球台と同等の本格的な練習を行うことができる。
【００６６】
なお、ネット部材５の基板４１の部分、およびネット部材５Ｂの基板４１および薄板部４４の部分については、天板部１１、２１よりも出っ張っているため、国際規格の卓球台とは若干異なった状態となっている。しかし、それらはネットに近い部分であるため、通常のサーブやラリーの練習にはほとんど差し支えない。
【００６７】
上に述べた実施形態の卓球台１において、ネット部材５を天板部１１、２１の中央に配置するのは極めて容易である。
【００６８】
上に述べた実施形態の卓球台１Ｂ，１Ｃにおいて、ネット部材５Ｂを天板部１１、２１の中央に配置するのを容易とするために、配置位置の目印を薄板部４４に設けておいてもよい。例えば、ネット部材５Ｂを卓球台１Ｂ，１Ｃのそれぞれに合わせた配置とするために、薄板部４４に基板４１の外形に沿った線を描いておくことでもよい。
【００６９】
また、ネット部材５，５Ｂを天板部１１、２１または薄板部４４に固定するための固定装置を設けておいてもよい。
【００７０】
また、卓球台１Ｂ，Ｃにおいて、天板部１１、２１の端縁部１１ｃ，２１ｃの間隔Ｄ１の目印を薄板部４４に設けておいてもよい。また、端縁部１１ｃ，２１ｃの間隔Ｄ１を規定するための適当な位置決め部材を薄板部４４に設けておいてもよい。
【００７１】
例えば図１０（Ａ）に示すような薄板部４４Ｂを用いる。薄板部４４Ｂは、薄板４４１、および、薄板４４１の下面に取り付けられた突起４４２ａ，ｂからなる。突起４４２ａ，ｂの外側面間が、間隔Ｄ１と一致した寸法となっている。
【００７２】
天板部１１、２１の端縁部１１ｃ，２１ｃを突起４４２ａ，ｂの外側面に当接させることにより、天板部１１、２１は適切な位置に位置決めされ、容易にクロス配置の卓球台１Ｂ，Ｃとすることができる。
【００７３】
または、図１０（Ｂ）（Ｃ）に示すような薄板部４４Ｃを用いる。薄板部４４Ｃを製造するには、金属板例えば薄い鉄板を準備し、その両側を直角程度に折り曲げて耳部４４３ａ，ｂを形成する。耳部４４３ａ，ｂは、それぞれの長さを間隔Ｄ１と同じ寸法としておき、相互の間隔を天板部１１、２１の幅Ｗ２よりも小さい寸法としておく。
【００７４】
天板部１１、２１の端縁部１１ｃ，２１ｃを耳部４４３ａ，ｂの端部に当接させることにより、天板部１１、２１は適切な位置に位置決めされ、容易にクロス配置の卓球台１Ｂ，Ｃとすることができる。
【００７５】
上に述べた実施形態の卓球台１は、２つの台部材３、４を幅方向に並べ、天板部１１、２１の長辺縁部同士が互いに接する状態で配置することが可能である。
【００７６】
すなわち、図１１に示す卓球台１Ｄにおいて、２つの台部材３、４が、天板部１１、２１の短い方の長辺縁部１１ｂ，２１ｂが互いに接する状態で並行して配置されている。
【００７７】
また、天板部１１、２１の傾斜縁部１１ｄ，２１ｄを相手コートに近い側に配置し、かつ傾斜縁部１１ｄ，２１ｄの先端の長い方が幅方向の外側に位置するように配置することにより、傾斜縁部１１ｄ，２１ｄの出っ張った部分を利用してネット部材５を端縁部１１ｃ，２１ｃからの距離がＬ２の位置に安定して配置することができる。
【００７８】
したがって、卓球台１Ｄの幅Ｗ３は、天板部１１、２１の幅Ｗ２の２倍となる。幅Ｗ２が国際規格の幅Ｗ１の４分の１である場合には、幅Ｗ３は、国際規格の幅Ｗ１の丁度２分の１となる。また、卓球台１Ｄの長さＬ２は、国際規格の長さＬ１の半分となりる。つまり、卓球台１Ｄは、国際規格の卓球台のダブルスにおけるサービス時の自コートと同じ領域広さとなる。
【００７９】
したがって、卓球台１Ｄを用いて、ダブルスにおけるサーブまたはレシーブについて、国際規格サイズの卓球台と同等の本格的な練習を行うことができる。
【００８０】
また、前方に適当な高さの衝立６を設置することにより、打った卓球ボールを衝立６により跳ね返るようにして一人でラリーの練習を行うことも可能である。
【００８１】
なお、上に述べた実施形態において、天板部１１、２１の長い方の長辺縁部１１ａ，２１ａの長さＬ２ａ、短い方の長辺縁部１１ｂ，２１ｂの長さＬ２ｂ、角度α１、クロス配置とした場合の端縁部１１ｃ，２１ｃの間隔Ｄ１などは、作図によってまたは計算によって容易に求めることができる。
〔第二の実施形態の卓球台〕
次に、他の形状の天板部１１Ｅ、２１Ｅを用いた第二の実施形態の卓球台１Ｅについて説明する。
【００８２】
図１２において、卓球台１Ｅは、互いに同じ形状の２つの台部材３Ｅ、４Ｅ、およびネット部材５を有する。
【００８３】
台部材３Ｅ、４Ｅは、第一の実施形態の卓球台１の天板部１１、２１とは形状の異なる天板部１１Ｅ、２１Ｅを有する。しかし、第一の実施形態の卓球台１の脚部１２、２２と同じ脚部１２、２２を有するので、脚部１２、２２についてはここでの図示および説明は省略する。
【００８４】
また、ネット部材５についても、第一の実施形態のネット部材５と同じであるので、ここでの説明は省略する。
【００８５】
図１３において、天板部１１Ｅ、２１Ｅには、長手方向における一方の端部に当該天板部１１Ｅ、２１Ｅの幅方向に沿った端縁部１１ｃ，２１ｃが、長手方向における他方の端部に当該天板部１１Ｅ、２１Ｅの幅方向に対して角度α２（度）だけ傾斜した傾斜縁部１１ｄ，２１ｄが、それぞれ形成されている。ここでの角度α２は、図３に示す天板部１１、２１の角度α１よりも若干大きくなる。
【００８６】
また、天板部１１Ｅ、２１Ｅには、それぞれの傾斜縁部１１ｄ，２１ｄにおいて、当該傾斜縁部１１ｄ，２１ｄに対して直角である直角傾斜縁部１１ｅ，２１ｅが設けられている。傾斜縁部１１ｄ，２１ｄと直角傾斜縁部１１ｅ，２１ｅとによって、コーナー部ＣＢが形成されている。
【００８７】
天板部１１Ｅ、２１Ｅにおける直角傾斜縁部１１ｅ，２１ｅの長さは、傾斜縁部１１ｄ，２１ｄの長さよりも短くした方が、通常のクロス練習には都合がよい。しかし、これらの長さは、種々変更して設定することができる。例えば、これらの長さを互いに同じとしてもよい。または、天板部１１Ｅ、２１Ｅの長い方の長辺縁部１１ａ，２１ａと短い方の長辺縁部１１ｂ，２１ｂとの長さが互いに同じとなるように、傾斜縁部１１ｄ，２１ｄおよび直角傾斜縁部１１ｅ，２１ｅの長さを設定してもよい。
【００８８】
図１２に示されるように、２つの天板部１１Ｅ、２１Ｅは、その傾斜縁部１１ｄ，２１ｄを互いに突き合わせた状態で長手方向に一列に配置され、図１に示す卓球台１と同様に全体の長さＬ１が国際規格の長さＬ１に一致するようになっている。
【００８９】
この場合に、２つの天板部１１Ｅ、２１Ｅの間には、直角傾斜縁部１１ｅ，２１ｅを有するために切り欠かれた部分が生じているが、その部分にはネット部材５が載っているので、その切り欠かれた部分はほとんど目立たない。
【００９０】
本実施形態の卓球台１Ｅによって、第一の実施形態の卓球台１と同様に、ストレートのサーブまたはラリーの練習を行うことができる。
【００９１】
図１２および図１３に示す台部材３Ｅ、４Ｅを用いてフォアクロス配置の卓球台１Ｆとした例が図１４に示されている。
【００９２】
すなわち、図１４において、卓球台１Ｆは、台部材３Ｅ、４Ｅ、およびネット部材５Ｅを有する。
【００９３】
台部材３Ｅ、４Ｅは、図１２および図１３で説明したものと同じである。ネット部材５Ｅは、ネット部材５に薄板部４４Ｅが追加されている。この実施形態での薄板部４４Ｅは、図８および図９で示した卓球台１Ｂ，１Ｃの薄板部４４よりも長さが若干長い。しかし、その長さの差は僅かであるので、薄板部４４Ｅとして、卓球台１Ｂ，１Ｃの薄板部４４と同じものを用いることが可能である。
【００９４】
また、薄板部４４Ｅとして、図１０（Ａ）〜（Ｃ）に示すような薄板部４４Ｂ、４４Ｃを用いることも可能である。その場合に、突起４４２ａ，ｂの外側面間または耳部４４３ａ，ｂの長さを、図６に示す間隔よりも若干大きい間隔Ｄ２としておけばよい。
【００９５】
なお、これら角度α２および間隔Ｄ２などについても、作図または計算によって容易に求めることができる。
【００９６】
図１４に示すフォアクロス配置の卓球台１Ｆによって、フォアによるクロスのサーブまたはラリーの練習が行える。この場合に、図８の卓球台１Ｂと比べてコーナー部ＣＢが完全な形で実現されているので、コーナー部ＣＢを利用したサーブなどの練習をより一層正確に行うことができる。
【００９７】
また、図示は省略したが、卓球台１Ｅを図９に示すようなバッククロス配置とすることも容易に可能である。
〔第三の実施形態の卓球台〕
次に、他の形状の天板部１１Ｇ、２１Ｇを用いた第三の実施形態の卓球台１Ｇについて説明する。
【００９８】
図１５において、卓球台１Ｇは、互いに同じ形状の２つの台部材３Ｇ、４Ｇ、およびネット部材５Ｇを有する。
【００９９】
台部材ＧＥ、４Ｇは、第一の実施形態の卓球台１の天板部１１、２１とは形状の異なる天板部１１Ｇ、２１Ｇを有する。しかし、第一の実施形態の卓球台１の脚部１２、２２と同じ脚部１２、２２を有するので、脚部１２、２２についてはここでの図示および説明は省略する。
【０１００】
ネット部材５Ｇについては、第一の実施形態のネット部材５に対して長さが短くなっているが、その他の構造および形状などは同じであるので、ここでの説明は省略する。
【０１０１】
図１６において、天板部１１Ｇ、２１Ｇは、それぞれ、長手方向に沿って延びる互いに平行な長辺縁部１１ａ，１１ｂ、２１ａ，２１ｂを有し、幅方向に沿って延びる互いに平行な端縁部１１ｃ，１１ｆ、２１ｃ，２１ｆを有する。
天板部１１、２１の幅Ｗ２となっている。
【０１０２】
天板部１１Ｇ、２１Ｇの幅Ｗ４は、互いに同じ寸法である。幅Ｗ４の大きさは、上に述べた卓球台１の幅Ｗ２と同じであってもよく、また異なっていてもよい。
【０１０３】
つまり、天板部１１Ｇ、２１Ｇは、それぞれ、長さＬ２が国際規格の卓球台の長さＬ１の半分であり、全体として傾斜縁部のない長方形となっている。
【０１０４】
本実施形態の卓球台１Ｇによって、第一の実施形態の卓球台１と同様に、ストレートのサーブまたはラリーの練習を行うことができる。
【０１０５】
このように、第一から第三の実施形態の卓球台１、１Ｅ、１Ｇによると、少ないスペースの中で任意の配置を行って卓球の練習を行うことができる。例えば、２．７ｍ×３．６ｍのスペースの部屋では、これら卓球台１、１Ｅ、１Ｇを、その一端を隅部に接近させた状態で部屋の対角線方向に沿って斜めに配置することにより、十分に余裕を持って練習を行うことができる。また、部屋の対角線方向に沿って部屋の中央部に配置することにより、２人によるラリーの練習を行うことができる。
【０１０６】
この点、国際規格の卓球台では、部屋に置くだけで残スペースの余裕がなくなり、また斜め方向に配置することも不可能なため、十分な練習を行うことができない。
【０１０７】
なお、本実施形態の卓球台１Ｇは、天板部１１Ｇ、２１Ｇの形状が表裏同一であるので、表裏反転させる必要がない。したがって、天板部１１Ｇ、２１Ｇを脚部１２、２２に固定しておいてもよい。
〔天板部に白線を設けた実施形態〕
ところで、国際規格には、卓球台の天板の周囲には幅２ｃｍの白線でエンドラインを描いておく旨が定められている。
【０１０８】
上に述べた各実施形態の台部材の天板部についても、周囲の適当な箇所にエンドラインを描いておくことが可能である。その例が図１７に示されている。
【０１０９】
すなわち、図１７（Ａ）において、台部材３、４の天板部１１、２１の端縁部１１ｃ，２１ｃおよび傾斜縁部１１ｄ，２１ｄに沿った縁部に、それぞれ幅２ｃｍの白線ＭＫ１，２によるエンドラインが付されている。
【０１１０】
また、図１７（Ｂ）において、台部材３Ｅ、４Ｅの天板部１１Ｅ、２１Ｅの端縁部１１ｃ，２１ｃおよび傾斜縁部１１ｄ，２１ｄ、直角傾斜縁部１１ｅ，２１ｅに沿った縁部に、それぞれ幅２ｃｍの白線ＭＫ１，２，３によるエンドラインが付されている。
【０１１１】
また、図示は省略したが、卓球台１Ｇの天板部１１Ｇ、２１Ｇにおいては、長辺縁部１１ａまたは１１ｂ、２１ａまたは２１ｂのいずれか一方、および端縁部１１ｃ，２１ｃのいずれか一方に沿って、白線ＭＫ１，２，３によるエンドラインを描いておけばよい。
【０１１２】
なお、これらの白線ＭＫは、天板部１１、２１、１１Ｅ、２１Ｅの表面および裏面にそれぞれにおいて描いておいてもよい。
【０１１３】
また、天板部１１、２１、１１Ｅ、２１Ｅの白線ＭＫが付されていない部分は、国際規格の卓球台と同様に青色または緑色に着色しておくことが好ましい。白線ＭＫを付さない場合においても、天板部を青色または緑色に着色しておくことが好ましい。
〔回収網部材〕
上に述べた各実施形態の卓球台において、台部材３、４の少なくとも一方に、卓球ボールを受け入れて回収する回収網部材を着脱可能に取り付けるようにしてもよい。
【０１１４】
図１８および図１９において、台部材４の端縁部１１ｃを囲むように、回収網部材７が設けられている。回収網部材７は、金属材料などからなる枠部材５１、枠部材５１の下端部から突出した枠取り付け部５２、および枠部材５１に沿って取り付けられた網部５３からなる。
【０１１５】
台部材４の脚部２２には、回収網部材７を着脱可能に取り付けるための取り付け部８が設けられている。取り付け部８は、枠取り付け部５２が棒状である場合には、それを挿入して取り付けるための穴を設けておけばよく、また、枠取り付け部５２が凹部である場合には、その凹部に挿入可能な突起を設けておけばよい。いずれの場合も、回収網部材７の位置決めを行うために、角形状として互いに回転不能に係合するようにしたり、適当なセットネジを用いて固定するなど、種々の構造とすることができる。
【０１１６】
網部５３の下端部には穴５４が設けられており、網部５３に入った卓球ボールが穴５４から下方に落下するので、その下方に容器ＹＫを設けておくことにより、卓球ボールを高い割合で自動的に容器ＹＫに回収することができる。
【０１１７】
回収網部材７の形状および寸法は、上に述べた例以外に種々変更することができる。
【０１１８】
また、回収網部材７を用いることなく、卓球ボールの回収を行うことも可能である。
【０１１９】
例えば、天板部１１、２１は脚部１２、２２に対して固定されていないので、天板部１１、２１と脚部１２、２２との間に大きな網の一部を挟み、その網の上方を部屋の壁や天井に固定し、その網の天板部１１、２１の両側の部分の下方を卓球ボールが集まってくるように壁や脚部１２、２２に固定する。このようにして、網の中に卓球ボールを回収することができる。また、網の下方に容器ＹＫを設けておき、網に入った卓球ボールがその容器（バケット）ＹＫに回収されるようにしてもよい。
【０１２０】
その他、天板部１１，１１Ｅ，１１Ｇ、２１，２１Ｅ，２１Ｇ、台部材３，３Ｅ，３Ｇ、４，４Ｅ，４Ｇ、または卓球台１，１Ｂ〜１Ｇの各部または全体の構成、構造、形状、寸法、個数、配置などは、本発明の主旨に沿って適宜変更することができる。
〔卓球台のインテリアとしての利用〕
上に述べた実施形態の卓球台１，１Ｂ〜１Ｇは、いずれもインテリアとして利用することができる。
【０１２１】
すなわち、卓球台１，１Ｂ〜１Ｇの脚部１２、２２および天板部１１，１１Ｅ，１１Ｇ、２１，２１Ｅ，２１Ｇなどの配置を種々変更することにより、種々のカウンターまたはテーブルなどとして用いることができる。
【０１２２】
図２０（Ａ）において、卓球台１の台部材３、４を、天板部１１、２１の端縁部１１ｃ，２１ｃが互いに接するように一列に配置することにより、カウンターＴＢ１として用いることができる。この場合に、天板部１１、２１は、いずれか一方または両方について、表裏を反転させてもよい。
【０１２３】
また、天板部１１、２１の傾斜縁部１１ｄ，２１ｄを突き合わせて一列に配置することにより、同様なカウンターとして用いることができる。
【０１２４】
また、天板部１１、２１の傾斜縁部１１ｄ，２１ｄを突き合わせて、２つの天板部１１、２１が「くの字」を描くように配置してもよい。
【０１２５】
図２０（Ｂ）において、卓球台１Ｅの台部材３Ｅ、４Ｅを、天板部１１Ｅ、２１Ｅの端縁部１１ｃ，２１ｃが互いに接するように一列に配置することにより、カウンターＴＢ２として用いることができる。天板部１１Ｅ、２１Ｅは、いずれか一方または両方について、表裏を反転させてもよい。
【０１２６】
また、天板部１１Ｅ、２１Ｅの傾斜縁部１１ｄ，２１ｄを突き合わせて一列に配置することにより、同様なカウンターとして用いることができる。
【０１２７】
また、天板部１１Ｅ、２１Ｅの傾斜縁部１１ｄ，２１ｄを突き合わせて、２つの天板部１１Ｅ、２１Ｅが「くの字」を描くように配置してもよい。
【０１２８】
図２０（Ｃ）において、卓球台１Ｅの台部材３Ｅ、４Ｅを、天板部１１Ｅ、２１Ｅの端縁部１１ｃ，２１ｃが互いに接するように一列に配置することにより、カウンターＴＢ２として用いることができる。天板部１１Ｅ、２１Ｅは、いずれか一方または両方について、表裏を反転させてもよい。
【０１２９】
また、天板部１１Ｅ、２１Ｅの傾斜縁部１１ｄ，２１ｄを突き合わせて一列に配置することにより、同様なカウンターとして用いることができる。
【０１３０】
また、天板部１１Ｅ、２１Ｅの傾斜縁部１１ｄ，２１ｄを突き合わせて、２つの天板部１１Ｅ、２１Ｅが「くの字」を描くように配置してもよい。
【０１３１】
図２１（Ａ）において、卓球台１の台部材３、４を、天板部１１、２１が長い方の長辺縁部１１ａ，２１ａにおいて互いに接する状態で、かつ傾斜縁部１１ｄ，２１ｄが同じ側となるような状態で、並行に配置することにより、テーブルＴＢ４として用いることができる。
【０１３２】
図２１（Ｂ）において、卓球台１の台部材３、４を、天板部１１、２１が長い方の長辺縁部１１ａ，２１ａにおいて互いに接する状態で、かつ傾斜縁部１１ｄ，２１ｄが反対側となるような状態で、並行に配置することにより、テーブルＴＢ５として用いることができる。
【０１３３】
図２２（Ｃ）において、卓球台１Ｅの台部材３Ｅ、４Ｅを、天板部１１Ｅ、２１Ｅが互いに接する状態で並行に配置することにより、テーブルＴＢ６として用いることができる。
【０１３４】
図２２（Ｄ）において、卓球台１Ｇの台部材３Ｇ、４Ｇを、天板部１１Ｇ、２１Ｇが互いに接する状態で並行に配置することにより、テーブルＴＢ７として用いることができる。
【０１３５】
上に述べた以外の配置によって種々の形態のカウンターまたはテーブルとすることができる。これらのカウンターまたはテーブルは、例えば、食卓、勉強机、事務机、作業机などとして用いることが可能である。また、花瓶、植木鉢、鑑賞魚用の水槽などを置く置き台として用いることも可能である。
【０１３６】
上に述べた例では、２つの台部材３、４をセットで用いたが、これらを互いに別の場所に配置して用いてもよい。
【０１３７】
また、天板部１１、２１の上方の空間のみではなく、その下方の空間を種々の用途に利用することが可能である。
【０１３８】
例えば、脚部１２、２２の長側板３２ａ，ｂに多数のフックを取り付けておき、種々の物品をつり下げて保管する保管庫として用いることができる。
【０１３９】
具体的には、卓球台１での練習に用いる卓球ボールを入れた容器、ラケット、およびネット部材５，５Ｅ，５Ｇなどを、卓球台１を使用しないときに、そのままでまたは適当な容器に入れてそれらのフックにつり下げて保管しておくことができる。また、カバン、衣服、その他の家庭用品、趣味の品などをフックにつり下げて保管しておくことができる。また、子供の給食袋などを、月曜日から金曜日までのそれぞれ用に５つ用意してフックにつり下げておき、子供が曜日に応じて自分でとって持っていくようにしてもよい。
【０１４０】
また、布製の軽量の棚をフックにつり下げておき、これを収納棚として利用することもできる。
【０１４１】
また、脚部１２、２２にフックを直接に取り付けるのではなく、短側板３３ａ，ｂの間に丸棒状の、ポールを掛け渡しておき、そのポールに、例えばＳ字フックやハンガーなどをつり下げるようにしてよい。また、長側板３２ａ，ｂの間に多数のポールを掛け渡しておいてもよい。
【０１４２】
また、そのようなポール自体を短側板３３ａ，ｂに対して着脱可能としておいてもよい。
【０１４３】
例えば、図２３に示すように、短側板３３ａ，ｂに穴３４ａ，ｂを設けておき、短側板３３ａ，ｂの間隔よりも若干長いポールＰＬの両端をその穴３４ａ，ｂに挿入して掛け渡す。ポールＰＬにＳ字フックＦＫを掛け、種々の物品ＢＰをつり下げる。
【０１４４】
このようにすれば、ポールＰＬをそのまま穴３４ａ，ｂから引き抜いて取り外すことにより、容易のそれらの物品ＢＰをポールＰＬごと移動することができる。
【０１４５】
また、穴３４ａ，ｂに代えて、短側板３３ａ，ｂの上部に開口する凹部を設けておき、天板部１１、２１を外すことによってポールＰＬを脚部１２、２２の上部から着脱可能としておいてもよい。短側板３３ａ，ｂをスタンド３１ａ〜ｄの上端面から少し下げて天板部１１、２１との間に間隙ができようにしておき、その間隙にポールＰＬが入り込むようにしてもよい。
【０１４６】
なお、卓球台１を練習のために使用する場合においても、ポールＰＬおよび物品ＢＰを脚部１２、２２の取り付けたままにしておいても差し支えない。
【０１４７】
図２３において、天板部１１、２１の上には花瓶ＫＢが載っているが、卓球の練習に使用するときは他の場所へ移動させればよい。
【０１４８】
台部材３、４を並列に配置することにより、クローゼットとしても使用可能である。
【０１４９】
また、脚部１２、２２の構造または形状を種々変更することによって、陳列棚、整理棚、または収納棚などとして用いることができる。
〔卓球台のゲーム用品としての利用〕
上に述べた実施形態の卓球台１，１Ｂ〜１Ｇを、その構造を変更しまたは適当なアイテムを追加することにより、ゲーム用品として利用することができる。
【０１５０】
図２４には、卓球台１を用いた卓球ゲームの構成の例が示されている。
【０１５１】
図２４において、卓球台１の相手側コートである天板部２１の端部領域に、位置検出センサ６１が載置されている。位置検出センサ６１は、その表面の領域が複数の検出領域ＫＲ１〜４に分割されており、それぞれの検出領域ＫＲ１〜４に卓球ボールが当たったときにその旨を示す検出信号Ｓ１を出力する。
【０１５２】
図２４に示す例では、検出領域ＫＲ１はコーナー領域、検出領域ＫＲ２は端縁領域、検出領域ＫＲ３は側縁領域、検出領域ＫＲ４は中央領域である。
【０１５３】
位置検出センサ６１からの検出信号Ｓ１は、タブレット（端末装置）６２に入力され、端末装置６２において検出信号Ｓ１に対して種々の演算および統計などが行われ、その結果が表示面ＧＭに表示される。
【０１５４】
すなわち、タブレット６２において、検出信号Ｓ１に基づいて、各検出領域ＫＲ１〜４に卓球ボールが当たった回数が検出され、それに基づいて点数などが表示される。
【０１５５】
例えば、卓球ボールが位置検出センサ６１に当たる毎に、検出領域ＫＲ１では１０点、検出領域ＫＲ２では５点、検出領域ＫＲ３では４点、検出領域ＫＲ４では１点を加算する。例えば、複数人が、交互に、天板部１１の側からラケットで卓球ボールを打ち、そのときの点数またはそれまでの合計点を競い合う。または、１人当たり所定回数、例えば２０回を打って、各自が合計点数を競う。また、所定時間内での合計点数を競う。
【０１５６】
また、このような位置検出センサ６１およびタブレット６２は、個人の卓球の練習における成果の指標として用いることができる。すなわち、目標の領域（位置）にどれだけ正確に打ち込めるかを示す指標として使用できる。その場合に、表示面ＧＭに合計点数を表示してもよく、検出領域ＫＲ１〜４のいずれに当たったかをその都度表示するようにしてもよい。その際に、検出領域ＫＲ１〜４に対する点数の設定を種々変更できるようにすればよい。
【０１５７】
また、位置検出センサ６１の検出領域の形状は種々変更してもよい。検出領域ＫＲ１〜４において、当たったことを検出するだけでなく、当たったときの衝撃の強さ、卓球ボールの回転による摩擦の大きさなどを検出するようにしてもよい。これらの検出結果を表示面ＧＭに表示し、またデータベース化することにより、練習の成果を確認することができる。
【０１５８】
また、天板部１１、２１の上面を、種々のゲームのために使用することができる。例えば、天板部１１、２１の上面に将棋の盤面を載せて、または将棋の盤面を描いた天板部１１、２１を載せることにより、将棋を楽しむこともできる。
【０１５９】
また、傾斜を設けた天板部１１、２１の上面に、将棋の駒などを将棋倒しまたはドミノ倒しのために並べておき、将棋倒しまたはドミノ倒しを楽しむこともできる。天板部１１、２１に傾斜をつけるためには、例えば、天板部１１、２１と脚部１２、２２との間の一部に嵩上げ部材を挿入するか、またはスタンド３１ａ〜ｄの下端部の一部に嵩上げ部材を挿入するか、またはスタンド３１ａ〜ｄの下端部に高さ調整のための部材を設けておくなど、種々の方法を採用し得る。
【０１６０】
また、卓球台１を用いて雪合戦ゲームを楽しむことも可能である。雪合戦ゲームでは、卓球ボールを雪玉として用い、台部材３、４をシェルターとして用いればよい。白色の卓球ボールを使用するチームと橙色の卓球ボールを使用するチームとに分かれてゲームを行ってもよい。
【０１６１】
雪合戦ゲームでは、雪玉を相手に当てるだけでなく、適当な容器またはネットを準備しておき、雪玉をそれら容器またはネットに入れた個数で勝敗を競うようにしてもよい。
【０１６２】
その他、卓球台１，１Ｂ〜１Ｇを種々の用途に用いることが可能である。
【０１６３】
また、これらの卓球台１，１Ｂ〜１Ｇを用いた新しい球技ルールを策定し、新しい室内スポーツとして楽しむことも可能である。
【産業上の利用分野】
【０１６４】
本発明の卓球台は、家庭、公共施設、または体育館などにおいて卓球の練習に用いることができ、また本発明は卓球台の製造に利用することができる。
【符号の説明】
【０１６５】
１，１Ｂ〜１Ｇ  卓球台
３，３Ｅ，３Ｇ  台部材
４，４Ｅ，４Ｇ  台部材
５，５Ｂ，５Ｅ，５Ｇ  ネット部材
６  衝立
７  回収網部材
８  取り付け部
１１，１１Ｅ，１１Ｇ  天板部
２１，２１Ｅ，２１Ｇ  天板部
１１ｃ，２１ｃ  端縁部
１１ｄ，２１ｄ  傾斜縁部
１１ｅ，２１ｅ  直角傾斜縁部
１２、２２  脚部
４１  基板
４２ａ，４２ｂ  ポール
４３  ネット
４４，４４Ｅ，４４Ｇ  薄板部
ＭＫ  白線
Ｌ１  国際規格の長さ
ＣＢ  コーナー部
【図１】
0005822325.tif 000002
【図２】
0005822325.tif 000003
【図３】
0005822325.tif 000004
【図４】
0005822325.tif 000005
【図５】
0005822325.tif 000006
【図６】
0005822325.tif 000007
【図７】
0005822325.tif 000008
【図８】
0005822325.tif 000009
【図９】
0005822325.tif 000010
【図１０】
0005822325.tif 000011
【図１１】
0005822325.tif 000012
【図１２】
0005822325.tif 000013
【図１３】
0005822325.tif 000014
【図１４】
0005822325.tif 000015
【図１５】
0005822325.tif 000016
【図１６】
0005822325.tif 000017
【図１７】
0005822325.tif 000018
【図１８】
0005822325.tif 000019
【図１９】
0005822325.tif 000020
【図２０】
0005822325.tif 000021
【図２１】
0005822325.tif 000022
【図２２】
0005822325.tif 000023
【図２３】
0005822325.tif 000024
【図２４】
0005822325.tif 000025